(57)【要約】      （修正有）【課題】安全で、軽く、組み立てやすく、コストを削減することが可能な、ワイヤーストリッパーを提供する。【解決手段】対応する二つの半形の本体１０、１０１を備える。本体中央の枢設盤１１は枢軸で枢設され、枢設された本体の上半分の段は、挟み部２０を形成し、枢設盤の下縁の対応する辺面には、連続した波状の剥切口２１が設けられ、そこはさらに下に延伸して、プラスチックカバーが被せられたハンドル部１７を形成する。本体の枢設盤の中央における枢軸を設けた外縁に凹んだ差込溝１３が設けられ、弾性部材が外に露出しないように取り付けられる。各枢設盤における弾性部材を設けた箇所の下縁の位置には、貫設孔１５及び段状孔が設けられ、段状孔の底段の孔の口径と貫設孔の口径は等しく、段状孔の内側から位置決めバー１６が差し込まれて、枢設盤の外側に突出し、突出した位置決めバーにはバネ部材１６２が被せられ、キャップとボルトで螺合される。【選択図】図１
0003175584.tif 000002
【実用新案登録請求の範囲】
【請求項１】
対応する二つの半形の本体を備える多機能ワイヤーストリッパーであって、
二つの本体中央の枢設盤は枢軸で枢設され、枢設された本体の上半分の段は、剥がしたりカットしたりするための挟み部を形成し、
枢設盤の下縁の対応する辺面には、連続した波状の剥切口が設けられ、そこはさらに下に延伸して、プラスチックカバーが被せられたハンドル部を形成し、
本体の枢設盤の中央における枢軸を設けた外縁には、凹んだ差込溝が設けられ、差込溝には、元の位置へ戻すための弾性部材が外に露出しないように取り付けられ、各枢設盤における弾性部材を設けた箇所の下縁の位置には、貫設孔及び段状孔が対応するように設けられ、段状孔の底段の孔の口径と貫設孔の口径は等しく、段状孔の内側から位置決めバーが差し込まれて、枢設盤の外側に突出し、突出した位置決めバーにはバネ部材が被せられ、キャップとボルトで螺合され、それにより、押すだけで簡単に位置決めできる装置が形成され、段状孔の底部は、位置決めバーの底部に設けられた環状端部に対応することを特徴とする、多機能ワイヤーストリッパー。
【請求項２】
キャップの中央は、ボルトを螺合した後に突出しないように、凹んだ形状であることを特徴とする、請求項１に記載の多機能ワイヤーストリッパー。
【請求項３】
二つの本体の枢設盤に設けられた差込溝は、弾性部材を完全に収容できるように、対応する半形の凹んだ設計となっていることを特徴とする、請求項１に記載の多機能ワイヤーストリッパー。
【請求項４】
前記差込溝は、長溝或いは巻き線形状であることを特徴とする、請求項１に記載の多機能ワイヤーストリッパー。
【考案の詳細な説明】
【技術分野】
【０００１】
本考案は多機能ワイヤーストリッパーに関し、特に安全で、軽く、組み立てやすく、コストを削減することが可能な、ワイヤーストリッパーに関する。
【背景技術】
【０００２】
一般的な電線の被膜を剥くためのワイヤーストリッパーは、異なる披覆の芯線に対応できるように、いくつかの異なる口径の剥切口縁が設けられており、大体の構造は、図８から図９に示すような構造になっている。従来のワイヤーストリッパーは、二本の対応する外形の挟み用本体３０を備え、本体３０の頂端は、口縁の外形が凸凹な挟み部３１を形成し、本体３０の底縁は、頂端と相互に連なり一体となった面積の広い枢設盤３２を形成し、本体３０の中央は、枢軸３３を介して対応する本体３０と枢設され、以上により、完全なストリッパー状の外観構造が形成される。枢設盤３２の下方における対応する本体３０の内縁には、突出した位置決め凸片３４が設けられ、向かい合って挟み合う本体３０間には弾性部材３５が設けられ、それにより、挟んでカットした後自動的に開いて元の位置に戻る作用を形成する。また、枢設盤３２の一側の底端には、Ｌ形状の制御片３６が枢設され、指で操作することにより、ストリッパーを閉じた後、Ｌ形の片体の頂端を、もう一方の本体３０の盤面の底縁に設けられた裂け目に引っかけることができ、それにより、ストリッパーを閉じた時の位置を固定することができ、ワイヤーストリッパーの連続カットと、閉じた時の安全な使用を確保する効果がある。また、向かい合って枢設される二つの本体３０が延伸した末端部には、プラスチックのカバーがそれぞれ被せられ、快適で握りやすい手元を形成する。以上により、完全なワイヤーストリッパーの構造が完成する。
【０００３】
上述した従来のワイヤーストリッパーの構造によると、最も不便さを感じるのは以下の点である。元の位置に戻すために用いられる弾性部材３５を中央の枢軸３３下縁に設けるため、位置決め凸片３４の凸部を長い設計にする必要があり、弾性部材３５を取り付ける際に不便であり、更には、弾性部材３５を外側に取り付けるため、ストリッパー全体を長くする必要があり、収容空間を空けるため、全体の材料のコストが増加するとともに、ストリッパーを握った感触が重くなり、使いにくくなる。また、弾性部材３５は通常バネを巻いてなるが、その巻いたバネの間隔に、電線や薄い片状の物体が挟まりやすく、さらには、操作する人の手が挟まって怪我をしたりすることもあり、安全さに掛ける上、弾性機能がうまく機能しなくなることがある。
【考案の概要】
【考案が解決しようとする課題】
【０００４】
そこで、本考案は、安全で、軽く、組み立てやすく、コストを削減することが可能な、ワイヤーストリッパーを提供することを目的とする。
【課題を解決するための手段】
【０００５】
本考案の多機能ワイヤーストリッパーは、対応する二つの半形の本体を備える。二つの本体中央の枢設盤は枢軸で枢設され、枢設された本体の上半分の段は、剥がしたりカットしたりするための挟み部を形成し、枢設盤の下縁の対応する辺面には、連続した波状の剥切口が設けられ、そこはさらに下に延伸して、プラスチックカバーが被せられたハンドル部を形成する。本体の枢設盤の中央における枢軸を設けた外縁には、凹んだ差込溝が設けられ、差込溝には、元の位置へ戻すための弾性部材が外に露出しないように取り付けられ、各枢設盤における弾性部材を設けた箇所の下縁の位置には、貫設孔及び段状孔が対応するように設けられ、段状孔の底段の孔の口径と貫設孔の口径は等しく、段状孔の内側から位置決めバーが差し込まれて、枢設盤の外側に突出し、突出した位置決めバーにはバネ部材が被せられ、キャップとボルトで螺合され、それにより、押すだけで簡単に位置決めできる装置が形成され、段状孔の底部は、位置決めバーの底部に設けられた環状端部に対応する。
【図面の簡単な説明】
【０００６】
【図１】本考案のワイヤーストリッパーの構造を示した分解図である。
【図２】本考案のワイヤーストリッパーのカット時の外観を示した斜視図である。
【図３】本考案のワイヤーストリッパーを閉じた時の外観を示した斜視図である。
【図４】本考案のワイヤーストリッパーのカット操作時に、挟み部が元の位置に戻って開いた状態を示した概略図である。
【図５】本考案のワイヤーストリッパーを閉じて固定した時に、挟み部が位置決めされて固定された状態を示した概略図である。
【図６】本考案のワイヤーストリッパーを開いた時の位置決めバーの組合せを示した平面図である。
【図７】本考案のワイヤーストリッパーを閉じて固定した時の位置決めバーの組合せを示した平面図である。
【図８】従来のワイヤーストリッパーの構造を示した分解斜視図である。
【図９】従来のワイヤーストリッパーの構造の外観を示した斜視図である。
【考案を実施するための形態】
【０００７】
本考案による多機能ワイヤーストリッパーの構造は、従来の電線のワイヤーストリッパーの外観に近く、その主な改良点は、ワイヤーストリッパーでカットした時に自動的に位置が戻る構造を外に露出しない設計にするとともに、ストリッパーを閉じた時の挟み部の位置決め構造を、枢設盤面の中央下縁に設けることにより、片手押し込むだけで簡単に位置決めを行うことができる便利な設計にしている、という点である。図１から図７に示すように、本考案によるワイヤーストリッパーの構造は、以下の通りである。半形板片状の対応する二つの本体１０、１０１を相互に重ねて枢設し、枢設盤１１の中央を枢軸１２で枢設する。向かい合わせて枢設した本体１０、１０１の枢設盤１１の内面の、枢軸１２を設ける外縁の適切な位置には、対応する凹んだ半形の差込溝１３を設ける。なお、差込溝１３の形は位置を元に戻すための弾性部材１４と同じであり、長溝状或いは巻き線形状である。それにより、弾性部材１４を完全に差込溝１３内に埋め込むことができる。また、一方の枢設盤１１における弾性部材１４を取り付けた中央の盤面の下縁には、口径の大きい貫設孔１５を設け、他方の枢設盤の対応する位置には段状孔１５１を設ける。段状孔１５１の底縁の口径の大きい段と、それに合わせられる貫設孔１５の口径は同じであり、段状孔１５１には、同じ口径を備えた位置決めバー１６が設けられる。それにより、位置決めバー１６の底部に設けられた大き目の口径をもつ環状端部１６１を、段状孔１５１の口径の大きい部分に差込んで、スライド移動させることができる。位置決めバー１６を内側から段状孔１５１に通した後、位置決めバー１６の外側にバネ部材１６２を取り付け、さらに、キャップ１６３を位置決めバー１６の頂端に螺合すると、キャップ１６３がバネ部材１６２を完全に覆って圧迫し、位置決めバー１６が弾性により元に戻る作用を補助する。図６に示すように、キャップ１６３中央には、内側が凹んだ空間が設けられ、それにより、螺合するボルト１６４をキャップ１６３の中央内部に完全に埋め込むことができ、安全且つ美しい外観にすることができる。以上の構造により、使用者は、片手で位置決めバー１６を押すだけで操作することができる。ワイヤーストリッパーを閉じた後、位置決めバー１６を外側から下方へ深く押しこんで移動させることで、その底部の環状端部１６１を貫設孔１５内部まで移動させ、さらにストリッパーを握る力を緩めると、内側に設けられた弾性部材１４の弾性張力により、位置決めバー１６と貫設孔１５が相互に係合して位置決め効果が生じ、枢設した本体１０、１０１がカットの操作をできないようになり、枢軸を螺合したのと同じ状態になる。カットの操作を行いたい時は、閉じたストリッパーのハンドル部１７を握り込む操作を行うと、上、下の対応する貫設孔１５及び段状孔１５１が再びそろい、位置決めバー１６頂端の外側に設けられたバネ部材１６２の弾力回復作用により、キャップ１６３が上に向かって押し出され、位置決めバー１６を最頂部まで引っ張りあげることができ、突出した環状端部１６１が再び段状孔１５１の底部の口径の大きい段に配置される。それにより、ストリッパーを再びカットできるようになる。本考案のワイヤーストリッパーは、安全にカットの操作を行えるうえ、閉じる時には安全に固定することができる。
【０００８】
また、ワイヤーストリッパーに取り付けられた枢軸１２の上方は、ワイヤーを挟むための相互に対応する凸凹の挟み部２０を形成し、それにより、芯線材を挟んで被膜を剥く操作が行いやすくなる。また、枢軸１２の下半分の板形の辺面には、それぞれ、連続した波状のワイヤーカット用の剥切口２１が設けられる。なお、電線の２芯或いは３芯などの複数芯の披覆の広さに対応できるように、様々な形状の弧部をもつ剥切口縁を形成しており、隣接する剥切口２１の中間は、それぞれ、凸点２２で隔離されており、それにより、様々なタイプの電線を挟んでカットしたり被膜を剥いたりすることができる。また、電線を挿入してカットする剥切口２１の一側の底縁に、支持用の位置決め片２３を螺合し、もう一方の剥切口２１が延伸した端部の上方には、支持用の同じ位置決め片２３を螺合する。それにより、電線を剥いたりカットしたりする時、カットの両側は同一平面を保持することができ、それにより、カットの垂直面を維持することができ、カットの操作がしやすくなる。また、本体が延伸して形成する相互に枢設されたハンドル部１７の底端には、それぞれ、プラスチックのカバーが被せられ、持ち心地がよくなる。以上により、完全なワイヤーストリッパー構造が完成する。
【０００９】
本考案のワイヤーストリッパーの構造を改良した部分の特徴は、カットした後に位置を元に戻すための弾性部材１４を、対応して枢設された本体１０、１０１の枢軸１２の外周の盤面上に設けた対応する差込溝１３に取り付けることにより、弾性部材１４を露出させない安全な構造にした点である。ワイヤーをカットする操作の時に、自動的に元の位置に戻って連続してカットを行うことができ、ワイヤーストリッパーの全体の外観をシンプルに保つとともに、ストリッパーの長さを短くすることができ、使用する材料を減らすことができるため、ストリッパーの軽量化を達成することができる。また、ワイヤーストリッパーを閉じる時、挟み部の螺合位置決め装置を使用することができる。この装置は、対応して枢設された二つの本体１０、１０１の対応する枢設盤１１の中央下縁に、対応する貫設孔１５及び段状孔１５１をそれぞれ設け、突出した環状端部１６１を底部にもつ位置決めバー１６を内側から段状孔１５１に差込み、枢設盤１１の外側からバネ部材１６２を嵌め込んで、キャップ１６３及びボルト１６４で螺合してなる。以上の構造により、位置決めバー１６を段状孔１５１内でスライドさせ、環状端部１６１が大きな口径の貫設孔１５内まで到達するように深く押すと、閉じた時の位置を固定することができる。従って、ワイヤーストリッパーを閉じる操作を行う時、簡単に片手で押すだけで操作を行うことができる。また、本考案は、剥切口２１の外縁にＬ形位置決め片２３を設けることでカットの補助を行えるとともに、外に露出しない構造の特殊な弾性部材１４による位置を戻す作用と、片手で押すだけで位置を固定する設計により、ワイヤーストリッパーの操作と収納を更にシンプル且つ安全に行え、ワイヤーストリッパーの構造設計上、実用的に革新性の大きな改良を実現している。
【符号の説明】
【００１０】
１０、１０１         本体    
１１                        枢設盤
１２                        枢軸            
１３                        差込溝
１４                        弾性部材                  
１５                        貫設孔
１５１               段状孔          
１６                        位置決めバー
１６１               環状端部          
１６２               バネ部材
１６３               キャップ          
１６４               ボルト
１７                        ハンドル部
２０                        挟み部          
２１                        剥切口
２２                        凸点            
２３                        位置決め片  
３０                        本体            
３１                        挟み部
３２                        枢設盤             
３３                        枢軸
３４                        凸片                      
３５                        弾性部材
３６                        制御片                    
【図１】
0003175584.tif 000003
【図２】
0003175584.tif 000004
【図３】
0003175584.tif 000005
【図４】
0003175584.tif 000006
【図５】
0003175584.tif 000007
【図６】
0003175584.tif 000008
【図７】
0003175584.tif 000009
【図８】
0003175584.tif 000010
【図９】
0003175584.tif 000011